(57)【要約】【課題】融雪機能を備えた雨樋の取付作業の効率を高める。【解決手段】軒樋Ａを本体軒樋１と先端軒樋２とで構成し、これら本体軒樋１と先端軒樋２を着脱自在に結合すると共に、前記先端軒樋２にヒーター３が設けられている。【選択図】図１
2005061055.tif 000002
【特許請求の範囲】
【請求項１】
軒樋を本体軒樋と先端軒樋とで構成し、これら本体軒樋と先端軒樋を着脱自在に結合すると共に、前記先端軒樋にヒーターが設けられていることを特徴とする雨樋。
【請求項２】
請求項１において、
上記本体軒樋の先端に係止部を形成し、この係止部と着脱可能な被係止部が上記先端軒樋に形成されて着脱自在に結合されていることを特徴とする雨樋。
【請求項３】
竪樋を本体竪樋と下端竪樋とで構成し、これら本体竪樋と下端竪樋を着脱自在に結合すると共に、前記下端軒樋にヒーターが設けられていることを特徴とする雨樋。
【請求項４】
請求項３において、
上記本体竪樋の下端に係止部を形成し、この係止部と着脱可能な被係止部が上記下端軒樋に形成されて着脱自在に結合されていることを特徴とする雨樋。
【請求項５】
請求項１〜４の何れかにおいて、
上記ヒーターは、シート状、テープ状等の膜状に形成されていることを特徴とする雨樋。
【請求項６】
請求項１〜５の何れかにおいて、
上記先端軒樋又は下端竪樋と、上記ヒーターとは、多孔質状に形成されていることを特徴とする雨樋。
【発明の詳細な説明】
【技術分野】
【０００１】
本発明は、融雪機能を備えた雨樋に関し、詳しくは、軒先等に設置される軒樋及びこの軒樋から集水された雨水を排水させるために壁面等に設置される竪樋に融雪機能を備えた雨樋に関する。
【背景技術】
【０００２】
従来、雨樋のうち、屋根上からの雨水を集水するための軒樋が軒先等に設置されており、また、この軒樋で集水された雨水を排水させるための竪樋が壁面等に設置されている。
【０００３】
上記軒樋は、軒先等の適所に軒樋用支持具を固定し、この軒樋用支持具に軒樋を取付けると共に、屋根の軒先位置に合わせられ、屋根上の雨水等を集水するものである。
【０００４】
そのため、従来の軒樋は、雨水等を集水するために上方が開放された縦断面略椀状又は略角状の長尺に形成している（例えば、特許文献１参照。）。
【０００５】
一方、上記竪樋は、壁面等の適所に竪樋用支持具を固定し、この竪樋用支持具に竪樋を取付けると共に、上端を上記軒樋に連結され、上記軒樋で集水された屋根上の雨水等を排水するものである。
【０００６】
そのため、従来の竪樋は、軒樋からの集水を地面に確実に排水するために筒状に形成された円状又は角状の長尺に形成している（例えば、特許文献２参照。）。
【特許文献１】特開２００３−１３５６７号
【特許文献２】特開平９−２０１７８２号
【発明の開示】
【発明が解決しようとする課題】
【０００７】
ところで、寒冷地などでは、降雪時に軒樋や竪樋（以下、両者を「雨樋」と総称する。）に溜まった雪や氷柱などの荷重によって上記雨樋が破損するおそれがある、また、雪や氷柱が雨樋から落下した場合、雨樋付近の物の破損や人災につながるおそれもあるため、これら雨樋に融雪用のヒーターを取付固定して、滞雪を除去する方法が一般的に採用されている。
【０００８】
しかしながら、従来の雨樋に融雪用のヒーターを取付固定したものでは、ヒーターが雨樋全体に一体化されて取付固定されている。
【０００９】
そのため、上記ヒーターを周囲の滞雪状況に応じて、簡単に取付けたり、取り外したりすることができず、そのヒーター効率が悪いという問題があった。
【００１０】
また、融雪が不要になったときに、改めて、一般的な雨樋に取替え作業を行うこととなり、雨樋を共用できないという問題もあった。
【００１１】
本発明は、このような事情に鑑みて、雨樋を分割して構成し、これらを着脱可能にすると共に、滞雪し易い一方にヒーターを設けた雨樋を提供することを目的としている。
【課題を解決するための手段】
【００１２】
上記目的を達成するため、
請求項１に係る雨樋は、軒樋を本体軒樋と先端軒樋とで構成し、これら本体軒樋と先端軒樋を着脱自在に結合すると共に、前記先端軒樋にヒーターが設けられていることを特徴とする。
【００１３】
このものでは、雨樋である軒樋を本体軒樋と先端軒樋とで構成し、これらを着脱自在にしているので、融雪の要、不要に応じて、先端軒樋だけを簡単に取付け又は取外すことができ、そのヒーター効率を高めることができるうえ、滞雪し易い先端軒樋に設けたヒーターによって、効率的に融雪を行うことができる。
【００１４】
また、軒樋の先端軒樋を取り外せば、一般的な軒樋として、そのまま使用することができるので、特殊な軒樋も不要にできる。
【００１５】
請求項２に係る雨樋は、請求項１において、上記本体軒樋の先端に係止部を形成し、この係止部と着脱可能な被係止部が上記先端軒樋に形成されて着脱自在に結合されていることを特徴とする。
【００１６】
このものでは、請求項１の具体的構造として、係止部と被係止部によって上記先端軒樋が本体軒樋に着脱自在に結合され、両者の着脱を簡単、確実にできる。
【００１７】
請求項３に係る雨樋は、竪樋を本体竪樋と下端竪樋とで構成し、これら本体竪樋と下端竪樋を着脱自在に結合すると共に、前記下端軒樋にヒーターが設けられていることを特徴とする。
【００１８】
このものでは、雨樋である竪樋を本体竪樋と下端竪樋とで構成し、これらを着脱自在にしているので、融雪の要、不要に応じて、下端竪樋だけを簡単に取付け又は取外すことができ、そのヒーター効率を高めることができるうえ、滞雪し易い先端軒樋に設けたヒーターによって、効率的に融雪を行うことができる。
【００１９】
また、竪樋の下端軒樋を取り外せば、一般的な竪樋として、そのまま使用することができるので、特殊な竪樋も不要にできる。
【００２０】
請求項４に係る雨樋は、請求項３において、上記本体竪樋の下端に係止部を形成し、この係止部と着脱可能な被係止部が上記下端軒樋に形成されて着脱自在に結合されていることを特徴とする。
【００２１】
このものでは、請求項３の具体的構造として、係止部と被係止部によって上記下端竪樋が本体竪樋に着脱自在に結合され、両者の着脱を簡単、確実にできる。
【００２２】
請求項５に係る雨樋は、請求項１〜４の何れかにおいて、上記ヒーターは、シート状、テープ状等の膜状に形成されていることを特徴とする。
【００２３】
このものでは、ヒーターは、膜状に形成されているので、滞雪状況に応じてカッティング作業がし易く、施工作業効率やヒーター効率を高めて効率的な融雪を行うことができる。
【００２４】
請求項６に係る雨樋は、請求項１〜５の何れかにおいて、上記先端軒樋又は下端竪樋と、ヒーターとは、多孔質状に形成されていることを特徴とする。
【００２５】
このものでは、先端軒樋又は下端竪樋と、ヒーターとが、網目状、孔空き状、格子状等の多孔質状であるので、融雪された雪溶け水が、先端軒樋又は下端竪樋と、ヒーターを通じて雨樋内に流れ込み、雨水同様、簡単に排水できる。
【発明の効果】
【００２６】
本発明によれば、次のような効果がある。
【００２７】
請求項１に係る雨樋によれば、雨樋である軒樋を本体軒樋と先端軒樋とで構成し、これらを着脱自在にしているので、融雪の要、不要に応じて、先端軒樋だけを簡単に取付け又は取外すことができ、そのヒーター効率を高めることができるうえ、滞雪し易い先端軒樋に設けたヒーターによって、効率的に融雪を行うことができる。
【００２８】
また、軒樋の先端軒樋を取り外せば、一般的な軒樋として、そのまま使用することができるので、特殊な軒樋も不要にできる。
【００２９】
請求項２に係る雨樋によれば、係止部と被係止部によって上記先端軒樋が本体軒樋に着脱自在に結合され、両者の着脱を簡単、確実にできる。
【００３０】
請求項３に係る雨樋によれば、雨樋である竪樋を本体竪樋と下端竪樋とで構成し、これらを着脱自在にしているので、融雪の要、不要に応じて、下端竪樋だけを簡単に取付け又は取外すことができ、そのヒーター効率を高めることができるうえ、滞雪し易い先端軒樋に設けたヒーターによって、効率的に融雪を行うことができる。
【００３１】
また、竪樋の下端軒樋を取り外せば、一般的な竪樋として、そのまま使用することができるので、特殊な竪樋も不要にできる。
【００３２】
請求項４に係る雨樋によれば、係止部と被係止部によって上記下端竪樋が本体竪樋に着脱自在に結合され、両者の着脱を簡単、確実にできる。
【００３３】
請求項５に係る雨樋によれば、ヒーターは、膜状に形成されているので、滞雪状況に応じてカッティング作業がし易く、施工作業効率やヒーター効率を高めて効率的な融雪を行うことができる。
【００３４】
請求項６に係る雨樋によれば、先端軒樋又は下端竪樋と、ヒーターとが、網目状、孔空き状、格子状等の多孔質状であるので、融雪された雪溶け水が、先端軒樋又は下端竪樋と、ヒーターを通じて雨樋内に流れ込まれ、雨水同様、簡単に排水できる。
【発明を実施するための最良の形態】
【００３５】
【実施例１】
【００３６】
以下、本発明に係る雨樋を図面とともに説明する。
【００３７】
図１は、本発明に係る軒樋Ａよりなる雨樋の一実施例を軒先に取付けた状態を示す概略断面図である。以下、詳説する。
【００３８】
この軒樋Ａは、本体軒樋１と先端軒樋２とで構成している。
【００３９】
本体軒樋１の先端、即ち、本図では、本体軒樋１の前方側に立起された面の上端に、係止部１１を形成している。
【００４０】
一方、先端軒樋２の下端には、係止部１１と着脱可能な被係止部２１を形成しており、これらの係止部１１及び被係止部２１は、着脱自在に結合される構造にしている。
【００４１】
本実施例では、被係止部２１として凹所を形成し、この凹所に嵌合される片を係止部１１として形成した構造のものであるが、両者の凹凸関係を入れ替えても同様である。
【００４２】
また、係止部１１と被係止部２１は、図示しないが、例えば、ボルト、ナットで着脱自在に結合されたものでも可能であるが、本実施例のような凹凸構造の結合あれば、工具を用いることなく、簡単、確実に着脱作業が行え、そのヒーター効率を高めることができる。
【００４３】
このように、本発明の軒樋Ａは、これを本体軒樋１と先端軒樋２に分割した構造とし、両者を着脱自在にしている。
【００４４】
また、本発明の先端軒樋２には、ヒーター３を設けている。
【００４５】
ここでのヒーター３としては、シート状、テープ状等の膜状に形成され、このヒーター３を先端軒樋２の内側に固定したものを例示している。
【００４６】
具体的には、先端軒樋２の内側の上、下端側に、図例のような上係止爪２２、下係止爪２３を各々形成し、これらの上係止爪２２、下係止爪２３にヒーター３の一端を係合させたうえで、このヒーター３を長手方向に摺動すれば、ヒーター３を簡単に先端軒樋２の内側に取付けできる。
【００４７】
また、ヒーター３は、シート状、テープ状等の膜状に形成されているので、作業現場で簡単にカッティング加工することができる。
【００４８】
さらに、ヒーター３の固定面側に粘着テープ等の粘着剤を設けておけば、このヒーター３を先端軒樋２の内側に上係止爪２２、下係止爪２３を設けなくても確実に固定できる。
【００４９】
なお、このような膜状のヒーター３は、先端軒樋２の外側に設けることも勿論可能である。
【００５０】
また、ヒーター３は、先端軒樋２の長手方向の全面に固定しているが、当該ヒーター３を先端軒樋２の長手方向に向けて一定間隔をあけ、部分的に設けても構わない。
【００５１】
このヒーター３は、一般家庭用電源によって作動されるが、その電源口は、軒樋Ａの一端側の軒先等に形成するのが良い。
【００５２】
このように構成された軒樋Ａは、従来同様、軒先等に設置された支持金具Ｔを用い、この支持金具Ｔに本発明の軒樋Ａの本体軒樋１を取付ける。
【００５３】
次いで、融雪が必要な場合には、この本体軒樋１の係止部１１に、先端軒樋２の被係止部２１を係合させて両者を結合する。
【００５４】
そして、先端軒樋２のヒーター３に通電すれば、この先端軒樋２付近に滞雪されている雪や氷柱が溶け、融雪による先端軒樋２への荷重を除去し、軒樋Ａの破損や、雨樋付近の物の破損や人災を防止できる。
【００５５】
一方、融雪の必要がない場合には、本体軒樋１のままで使用するか、或いは、先程とは逆に、係合されている先端軒樋２の被係止部２１を係止部１１から離脱させれば、一般的な軒樋として使用できるのである。
【００５６】
このように、本発明に係る軒樋Ａによれば、雨樋である軒樋Ａを本体軒樋１と先端軒樋２とで構成し、これらを着脱自在にしているので、必要に応じて、先端軒樋１だけを簡単に取付け又は取外すことができ、そのヒーター効率を高めることができるうえ、先端軒樋１に設けたヒーター３によって、効率的に融雪を行うことができる。
【００５７】
また、軒樋Ａの先端軒樋１を取り外せば、一般的な軒樋として、そのまま使用することができ、融雪用の特殊な軒樋も不要である。
【実施例２】
【００５８】
図２は、本発明に係る軒樋Ａよりなる雨樋の他の実施例を軒先に取付けた状態を示す概略断面図である。
【００５９】
ここで、図１と共通する部位には、同一の番号を付し、その説明は省略する。
【００６０】
この軒樋Ａは、図１で示した先端軒樋２と、ヒーター３とが、多孔質状に形成されているものを例示している。
【００６１】
具体的には、先端軒樋２及びヒーター３とが重合されている部分に、両者を貫通する貫通孔４を複数形成している。
【００６２】
また、先端軒樋２及びヒーター３を各々網目状、格子状等に形成して、貫通孔４を形成しても構わない。
【００６３】
このような軒樋Ａによれば、先端軒樋２とヒーター３とが、両者を貫通する貫通孔４によって、多孔質状に形成されているので、融雪された雪溶け水が、先端軒樋２とヒーター３を通じて本体雨樋１内に流れ込まれ、雨水同様、簡単に排水できる。
ができ、融雪用の特殊な軒樋も不要である。
【実施例３】
【００６４】
図３（ａ）、（ｂ）は、図１、図２で示された係止部及び被係止部の他の実施例を示す部分拡大断面図である。
【００６５】
ここで、図１、図２との対応する部位には、同一の番号を付し、その説明は省略する。
【００６６】
図３（ａ）で示した軒樋Ａは、金属薄板などを曲げ加工によって形成したもので、この場合では、本体軒樋１の上端に、内側に向けて折り返した係止部１１を形成すると共に、先端軒樋２の下端には、この係止部１１の折り返した内側に嵌合される略Ｚ字状の被係止部２１を折り曲げ形成し、これらの係止部１１及び被係止部２１が、着脱自在に結合される構造にしている。
【００６７】
また、係止部１１と被係止部２１を、図例のような、鉄板ビス５で連結しておけば、両者の結合を確実にできる。
【００６８】
図３（ｂ）で示した軒樋Ａは、アルミ材などを押出し加工によって形成したもので、この場合では、図で示したような複雑な形状の係止部１１、被係止部２１を形成することができる構造にしている。
【実施例４】
【００６９】
図４は、本発明に係る軒樋Ａよりなる雨樋の更に他の実施例を軒先に取付けた状態を示す概略断面図である。
【００７０】
ここで、図１〜図３との対応する部位には、同一の番号を付し、その説明は省略する。
【００７１】
図４で示した軒樋Ａは、図１又は図２と同様、ヒーター３が先端軒樋２の内側に取付けされている点では同じであるが、先端軒樋２が下方へ延長され、その内側にヒーター３が固定されている点で相違するものである。
【００７２】
このようなヒーター３が設けられた先端軒樋２であれば、これを本体軒樋１に取付けるだけで、本体軒樋１の一部までも融雪することができ、滞雪し易い先端軒樋の融雪を確実に行うことができる。
【００７３】
なお、この先端軒樋２を取り外せば、一般的な軒樋として、そのまま使用することができることは、上記同様である。
【実施例５】
【００７４】
図５は、本発明に係る竪樋Ｂよりなる雨樋の要部を示した概略断面図である。
【００７５】
ここで、図１〜図４との対応する部位には、同一の番号を付し、その説明は省略する。
【００７６】
この竪樋Ｂは、本体竪樋１’と下端軒樋２’とで構成している。
【００７７】
本体竪樋１’の下端には、外径が縮径された係止部１１を形成している。
【００７８】
一方、下端軒樋２’の上端には、内径が拡径され、係止部１１と着脱可能な被係止部２１を形成しており、これらの係止部１１、被係止部２１は、着脱自在に結合される構造にしている。
【００７９】
なお、両者の縮／拡径関係を入れ替えても同様である。
【００８０】
また、係止部１１と被係止部２１は、図示しないが、両者の一方にネジ山を、他方にネジ溝を形成した螺合構造によって結合される構造であっても構わない。
【００８１】
また、例えば、ボルト、ナットで着脱自在に結合されたものでも可能であるが、本実施例のような凹凸構造の結合あれば、工具を用いることなく、簡単、確実に着脱作業が行え、そのヒーター効率を高めることができる。
【００８２】
そして、下端竪樋２’には、ヒーター３を設けている。
【００８３】
ここでの下端竪樋２’としては、膜状のヒーター３を下端竪樋２’の外側に取付けたものを例示しているが、このヒーター３を下端竪樋２の内側に固定する設けることも勿論可能である。
【００８４】
また、ヒーター３は、下端竪樋２’の長手方向の全面に固定しているが、当該ヒーター３を下端竪樋２’の長手方向に向けて一定間隔をあけ、部分的に設けても構わない。
【００８５】
このように構成された竪樋Ｂは、従来同様、壁面等に設置された支持金具（不図示）を用い、この支持金具（不図示）に本発明の竪樋Ｂの本体竪樋１’を取付ける。
【００８６】
次いで、融雪が必要な場合には、この本体竪樋１’の係止部１１に、下端竪樋２’の被係止部２１を係合させて両者を結合する。
【００８７】
そして、下端竪樋２’のヒーター３に通電すれば、この下端竪樋２’の周囲に滞雪されている雪が溶け、融雪による下端竪樋２’への荷重を除去し、竪樋Ｂの破損を防止できる。
【００８８】
一方、融雪の必要がない場合には、本体竪樋１’のままで使用するか、或いは、先程とは逆に、係合されている下端竪樋２’の被係止部２１を係止部１１から離脱させれば、一般的な竪樋として使用できるのである。
【００８９】
このように、本発明に係る竪樋Ｂによれば、雨樋である竪樋Ｂを本体竪樋１’と下端竪樋２’とで構成し、これらを着脱自在にしているので、必要に応じて、下端竪樋２’だけを簡単、確実に取付け又は取外すことができ、そのヒーター効率を高めることができるうえ、下端軒樋２’に設けたヒーター３によって、効率的に融雪を行うことができる。
【００９０】
また、竪樋Ｂの下端軒樋２’を取り外せば、一般的な竪樋として、そのまま使用することができ、融雪用の特殊な竪樋も不要である。
【産業上の利用可能性】
【００９１】
本発明は、特に、積雪の多い寒冷地などの雨樋として有効に利用することが可能である。
【図面の簡単な説明】
【００９２】
【図１】本発明に係る軒樋Ａよりなる雨樋の一実施例を軒先に取付けた状態を示す概略断面図である。
【図２】本発明に係る軒樋Ａよりなる雨樋の他の実施例を軒先に取付けた状態を示す概略断面図である。
【図３】（ａ）、（ｂ）は、図１、図２で示された係止部及び被係止部の他の実施例を示す部分拡大断面図である。
【図４】本発明に係る軒樋Ａよりなる雨樋の更に他の実施例を軒先に取付けた状態を示す概略断面図である。
【図５】本発明に係る竪樋Ｂの要部を示した概略断面図である。
【符号の説明】
【００９３】
Ａ    軒樋（雨樋）
Ｂ    竪樋（雨樋）
１    軒樋本体
１’  竪樋本体
１１  係止部
２    先端軒樋
２’  下端竪樋
２１  被係止部
３    ヒーター
【図１】
2005061055.tif 000003
【図２】
2005061055.tif 000004
【図３】
2005061055.tif 000005
【図４】
2005061055.tif 000006
【図５】
2005061055.tif 000007